(57)【要約】【課題】Ｖ字形切り口の先端部に破損部がなく、外観がよい詰替え用包装袋を提供することにある。【解決手段】上隅部に、外方向に注出用ノズルを有する詰替え用包装袋において、前記注出用ノズル８が、先端シール部９と上側シール部１０と下側シール部１１とから形成され、前記先端シール部９と前記上側シール部１０との境界に、前記注出用ノズル８を開封するための開始部であるＶ字形切り口２０が形成され、前記Ｖ字形切り口２０の切り口先端部２１が、Ｒ形状で形成されていることを特徴とする詰替え用包装袋１である。【選択図】図１
2015147582.tif 000002
【特許請求の範囲】
【請求項１】
上隅部に、外方向に注出用ノズルを有する詰替え用包装袋において、
前記注出用ノズルが、先端シール部と上側シール部と下側シール部とから形成され、
前記先端シール部と前記上側シール部との境界に、前記注出用ノズルを開封するための開始部であるＶ字形切り口が形成され、
前記Ｖ字形切り口の切り口先端部が、Ｒ形状で形成されていることを特徴とする詰替え用包装袋。
【請求項２】
前記Ｒ形状が、曲率半径Ｒが０．８ｍｍであることを特徴とする請求項１記載の詰替え用包装袋。
【請求項３】
前記Ｖ字形切り口が、一枚のトムソン刃を用いて形成されていることを特徴とする請求項１または２記載の詰替え用包装袋。
【請求項４】
前記切り口先端部が、注出用ノズルを横断する切断誘導線と連接されていることを特徴とする請求項１〜３のいずれか１項に記載の詰替え用包装袋。
【発明の詳細な説明】
【技術分野】
【０００１】
本発明は、液体洗剤、柔軟剤などのトイレタリー用品や、食用油、インスタントコーヒーなどの食品を収納する詰替え用包装袋に関するものである。
【背景技術】
【０００２】
液体洗剤、柔軟剤などのトイレタリー用品や、食用油、インスタントコーヒーなどの食品を収納する容器は、それぞれ使いやすいような形状の専用容器、例えば、プラスチックボトルやガラス瓶などが使用されている。これらの専用容器は、構造もしっかりしており、従って高価であることから、内容物が無くなった段階で、繰り返し使用することができるようになっている。このような専用容器に内容物を補充する詰替え用包装袋が別途販売されている。
【０００３】
繰り返し使用する専用容器は、もっぱら内容物を注出し易いように設計されているため、詰替え用包装袋から内容物を補充する詰替え操作の利便性を考慮したものでは必ずしもなかった。
【０００４】
また、詰替え用包装袋は、専用容器に詰め替え易いように、上隅部に注出口を有したものが一般的に使用されている。例えば、包装袋の上隅部分を鋏で切り取ったり、スリットやＶノッチなどの開封開始部を引き裂き、注出口を形成している。また、専用容器への詰替えを容易にするため、包装袋の上隅部に注出用ノズルを設け、該ノズルの先端を鋏で切り取ったり、ノズルを引き裂くことで注出口を形成し、その注出口を専用容器の口部に当てがい内容物を詰替えするようにしたものである。このような詰替え用包装袋としては、図５に示すような自立性包装袋５０がある。この詰替え用包装袋５０は、上隅部に注出用ノズル８を設け、注出用ノズル８は、先端シール部９と上側シール部１０と下側シール部１１とから形成され、先端シール部９と上側シール部１０との境界にＶ字形切り口２０が形成されている。切り口先端部２１には、注出用ノズルを開封するための切断誘導線２３が形成されているものである。
【０００５】
通常、Ｖ字形切り口２０を形成する方法としては、トムソン刃を用いて抜き加工により形成するのが一般的である。Ｖ字形切り口２０を形成するには、一枚の刃を折り曲げて形成することが難しく、二枚のトムソン刃４５、４５の先端をそれぞれ出来る限り近付け、かつ、近付けた二枚のトムソン刃の対面する側をそれぞれ削り、切り口先端部が鋭角なＶ字形になるようにしている。その説明図を図６に示している。しかし、二枚のトムソン刃４５，４５で形成された先端部は、０．１ｍｍ程度の隙間４０が生じてしまうのが現状である。切り口先端部では、どうしても不連続になるために、打抜き加工時に、先端部で、積層シートを引っかけて破損部（剥がれ）が生じる問題がある。例えば、図７−１に示すように、包装袋を構成する積層シート３０が、印刷層３２を有する基材層３１とシーラント層３４とが接着層３３を介して積層されているものであれば、切り口先端部の切り口２２で基材層３１とシーラント層３４の間の印刷層３２が剥がれ、剥がれ部３７が生じ、破損部が生じてしまう場合がある。さらに、剥がれ部３７が切り口先端部に連接されている切断誘導線を形成するハーフカット部２４へ連鎖して切断誘導線から剥がれ、破損部が生じてしまう場合がある。また、図７−２に示すように、例えば、基材層３１／印刷層３２／接着層３３／アルミニウム蒸着層を有するフィルム３５／接着層３３／シーラント層３４からなる積層シートであれば、アルミニウム蒸着層３６が基材層から剥がれ、剥がれ部３７が生じ、破損部を生じてしまう問題がある。即ち、図８に示すように、剥がれ部３７がハーフカット部２４へ連鎖して破損部３８が生じ外観を損なうことがある。
【０００６】
このような問題を改善するために、注出口を手で容易に開封することができる包装袋の提案がある（特許文献１）。一方の側辺と上辺とにそれぞれ切欠け部を設けることで、コーナー部に注出用ノズルを形成し、該注出用ノズルの注出方向中心線に対して前記切欠け部の最も近接した端縁部近傍に注出用ノズルを開封するための開封開始部となるスリットまたはノッチからなる切り口を設けたものである。切り口先端部からハーフカット線に繋がるようになっているものである。
【０００７】
これらの切り口は、トムソン刃などを用い打抜き加工により形成され、半円形、Ｉ字形、Ｖ字形などのノッチ、またはスリットであり、またノッチに加えて切り込みを形成したものである。この中で、切り口としてそれぞれ曲率半径Ｒが、２ｍｍ，４ｍｍ，６ｍｍの半円形のノッチを形成し、さらに先端部に１ｍｍの切り込みを形成している。確かに手でスムースに開封できるが、切り込みが物流時や保管時の取り扱いで破損してしまう問題がある。
【０００８】
よって、Ｖ字形切り口の先端部に破損部がなく、外観がよい詰替え用包装袋の要望がある。
【先行技術文献】
【特許文献】
【０００９】
【特許文献１】特開２００１−２１３４４８号公報
【発明の概要】
【発明が解決しようとする課題】
【００１０】
本発明は、このような背景技術に鑑みなされたものであり、Ｖ字形切り口の先端部に破損部がなく、外観がよい詰替え用包装袋を提供することにある。
【課題を解決するための手段】
【００１１】
上記の課題を解決するために、発明者は鋭意検討を行い、本発明を完成した。
【００１２】
本発明の請求項１に係る発明は、上隅部に、外方向に注出用ノズルを有する詰替え用包装袋において、
前記注出用ノズルが、先端シール部と上側シール部と下側シール部とから形成され、
前記先端シール部と前記上側シール部との境界に、前記注出用ノズルを開封するための開始部であるＶ字形切り口が形成され、
前記Ｖ字形切り口の切り口先端部が、Ｒ形状で形成されていることを特徴とする詰替え用包装袋である。
【００１３】
本発明の請求項２に記載の発明は、前記Ｒ形状が、曲率半径Ｒが０．８ｍｍであることを特徴とする請求項１記載の詰替え用包装袋である。
【００１４】
本発明の請求項３に記載の発明は、前記Ｖ字形切り口が、一枚のトムソン刃を用いて形成されていることを特徴とする請求項１または２記載の詰替え用包装袋である。
【００１５】
本発明の請求項４に記載の発明は、前記切り口先端部が、注出用ノズルを横断する切断誘導線と連接されていることを特徴とする請求項１〜３のいずれか１項に記載の詰替え用包装袋である。
【発明の効果】
【００１６】
本発明の詰替え用包装袋は、Ｖ字形切り口の切り口先端部がＲ形状で形成されているために、該先端部に破損部がなく、外観がよいものである。
【００１７】
また、切り口先端部が、曲率半径Ｒが０．８ｍｍで形成されることにより、一枚のトムソン刃で折り曲げが可能となり、刃が連続された状態で打抜き加工が可能になり、破損部がない、例えば、基材層から印刷層やアルミニウム蒸着層が剥離したり、また基材層とシーラント層が剥離するなどがないものが得られる。また、切り口先端部と連接されている切断誘導線への連鎖剥離もなく、外観がよい詰替え用包装袋ができる。
【００１８】
また、切り口先端部が、注出用ノズルを横断する切断誘導線と連接されていることで、切断誘導線に沿って引き裂くことができる。注出用ノズルを手でスムースに切り裂き開封することができる。
【図面の簡単な説明】
【００１９】
【図１】本発明に係る詰替え用包装袋の一例を示す説明図である。
【図２】図１の上隅部を示す説明図である。
【図３】本発明のＶ字形トムソン刃の一例を示す説明図である。
【図４】Ｖ字形切り口の積層シートの断面の一例を示す説明図である。
【図５】従来の詰替え用包装袋の一例を示す説明図である。
【図６】従来のＶ字形トムソン刃の一例を示す説明図である。
【図７】図６のＶ字形切り口の積層シートの断面の一例を示す説明図である。
【図８】図５の上隅部を示す説明図である。
【発明を実施するための形態】
【００２０】
以下、本発明を実施するための形態につき説明する。
【００２１】
図１は、本発明に係る詰替え用包装袋の一例を示す説明図である。詰替え用包装袋１は、自立性包装袋の一例を示している。上隅部に、外方向に注出用ノズル８を有する詰替え用包装袋である。表裏二枚の積層シート２，３と底テープ４からなっている。表裏の積層シート２，３と底テープ４は、可撓性を有したシートである。表裏二枚の積層シート２，３の下部の間に底テープ４を折り畳みながら挿入し、底部をシールし底シール部５、両サイドをシールしサイドシール部６，６をそれぞれ形成したものである。注出用ノズル８は、先端シール部９と上側シール部１０と下側シール部１１からなり、上側シール部１０は、先端シール部９および天部の開口部１４へと連接されている。また下側シール部１１は、先端シール部９および左側のサイドシール部６へと連接されている。
【００２２】
注出用ノズル８は、先端シール部９と上側シール部１０と下側シール部１１とから形成されている。先端シール部９と上側シール部１０との境界に注出用ノズル８を開封するための開封開始部となるＶ字形切り口２０が形成され、切り口先端部２１はＲ形状で形成されている。また、切り口先端部２１は、注出用ノズルを開封するための切断誘導線２３と連接されている。切断誘導線は、複数本形成されている．
図２は、図１の上隅部１２を示す説明図である。さらに詳しくＶ字形切り口２０を説明する。Ｖ字形切り口２０は、上側シール部１０と先端シール部９との境界に形成され、切り口先端部２１は、曲率半径Ｒが０．８ｍｍで形成されている。Ｖ字形切り口は、一枚のトムソン刃を用いて形成されている。
【００２３】
図３は、本発明のＶ字形トムソン刃の一例を示す説明図である。一枚のトムソン刃４５をＶ字形に折り曲げ、切り口先端部をＲ形状にしている。特に、切り口先端部２１を曲率半径Ｒが０．８ｍｍに形成している。切り口先端部は、曲率半径Ｒが０．８ｍｍに形成されることで、鋭角であり、かつ切り口先端部に破損部が生じることはない。また、切り口先端部２１には、注出用ノズルを開封するための切断誘導線２３が複数連接されているために、開封開始部のＶ字形切り口から引き裂き、切断誘導線に沿って注出用ノズルを開封
することができる。
【００２４】
図４は、Ｖ字形切り口の積層シートの断面の一例を示す説明図である。図４−１では、少なくとも、印刷層３２を有する基材層３１とシーラント層３４とが接着層３３を介して積層されている積層シート３０の一例を示している。右端縁はＶ字形切り口の切り口先端部を示し、切り口２２を示している。切り口２２が、曲率半径Ｒが０．８ｍｍで形成されているために、先端部で印刷層３２の剥がれなどの破損部が生じることがなく、外観がよいものが得られる。また、切り口２２には、切断誘導線を形成するハーフカット部２４が連接されている。ハーフカット部２４は、基材層３１を貫通しシーラント層３４に達するようにハーフカットで形成されている。また、図４−２では、印刷層３２を有する基材層３１とアルミニウム蒸着層を有するフィルム３５とシーラント層３４が接着層３３を介して積層されている積層シート３０の一例を示している。先端部の切り口２２で印刷層３２やアルミニウム蒸着層３６の剥がれなどの破損部が生じることがなく、外観がよいものが得られる。ハーフカット部２４は、基材層３１、アルミニウム蒸着層を有するフィルム３５、を貫通しシーラント層３４に達するようにハーフカットで形成されている。切り口２２を開封開始部として切断誘導線に沿って引き裂くことができ、注出用ノズルを開封することができる。
【００２５】
さらに、本発明を実施するための形態につき詳しく説明する。
【００２６】
本発明の詰替え用包装袋１は、内容物の容量やデザインにより、自立性包装袋の他に、三方シールタイプの包装袋やガゼットタイプの包装袋などにも可能である。包装袋の上隅部に外方向に注出用ノズルを有し、Ｖ字形切り口を形成したものであれば可能である。
【００２７】
基材層３１としては、プラスチックフィルム、紙、不織布などが使用できる。プラスチックフィルムとしては、ポリエステルフィルム、ポリプロピレンフィルム、ポリスチレンフィルム、ナイロンフィルム、ポリカーボネートフィルム、ポリアクリルニトリルフィルム、ポリイミドフィルムなどが挙げられる。機械的強度や寸法安定性を有するものであれば、特に限定されない。特に二軸延伸されたフィルムが好ましい。また、これらのフィルムにアルミニウム蒸着層を設けたものでもよい。
【００２８】
紙としては、上質紙、片アート紙、コート紙、キャストコート紙、模造紙などを用いることができる。機械的強度や製袋適正から適宜決めればよい。
【００２９】
また、基材層３１には、必要に応じて適宜印刷層を設けることができる。印刷層３２としては、ウレタン系、アクリル系、ニトロセルロース系、ゴム系などのバインダー樹脂に各種顔料、体質顔料および可塑剤、乾燥剤、安定剤などを添加されてなるインキにより構成される層である。この印刷層により、文字、絵柄などを形成することができる。印刷方法としては、例えば、オフセット印刷、グラビア印刷、フレキソ印刷、シルクスクリーン印刷、インクジェット印刷などの公知の印刷方法を用いることができる。また基材層の表面を、予め前処理としてコロナ処理またはオゾン処理を施すことにより、印刷層の密着性を向上させることができる。
【００３０】
シーラント層３４としては、ポリオレフィン系樹脂が一般的に使用され、具体的には、低密度ポリエチレン、直鎖状低密度ポリエチレン、中密度ポリエチレン、高密度ポリエチレン、エチレン−酢酸ビニル共重合体（ＥＶＡ）、エチレン−メタクリル酸共重合体（ＥＭＡＡ）、エチレン−アクリル酸エチル共重合体（ＥＡＡ）、アイオノマー、ポリプロピレンなどのポリオレフィン系樹脂からなるフィルムが使用できる。これらの樹脂を押出し機により製膜して可能である。単層または複層でもよい。フィルムの厚みとしては、１０〜１００μｍの範囲であることが好ましく、１５〜７０μｍの範囲であればより好ましい
。
【００３１】
接着層３３としては、ドライラミネート用接着剤が使用できる。例えば、二液硬化型ウレタン系接着剤、ポリエステルウレタン系接着剤、ポリエーテルウレタン系接着剤、アクリル系接着剤、ポリエステル系接着剤、ポリアミド系接着剤、エポキシ系接着剤などを使用することができる。貼り合わせ方法としては、ドライラミネート法にて可能である。
【００３２】
また、積層シートの諸物性を向上する必要があれば、例えば、積層シートの剛性、落下強度や突き刺し強度などを向上させる場合は、中間層を設けることも可能である。
【００３３】
中間層としては、例えば、落下強度や突き刺し強度などを向上させるには、ナイロンフィルムや、ポリエチレンテレフタレートフィルムなどを使用することができ、また、水蒸気バリア性を向上させるには、アルミニウム箔、アルミニウム蒸着ポリエステルフィルム、無機酸化物蒸着ポリエステルフィルムなどを使用することができる。また、美粧性を向上させるには、アルミニウム蒸着層を有したフィルムを使用することができる。また、中間層を積層するには、接着層を介してドライラミネート法にて貼り合わせることができる。
【００３４】
無機酸化物としては、酸化珪素、酸化アルミニウム、酸化マグネシウム、酸化カルシュウム、酸化カリウム、酸化錫、酸化ナトリウム、酸化ホウ素、酸化チタン、酸化鉛、酸化ジルコニウム、酸化イットリウムなどの金属の酸化物が使用できる。中でも生産性、価格面から酸化珪素、酸化アルミニウム、酸化マグネシウムなどが好ましい。
【００３５】
Ｖ字形切り口は、一枚のトムソン刃を折り曲げ、切り口先端部を曲率半径Ｒが０．８ｍｍにすることで、切り口先端部に破損部がないものを得ることができる。外観のよいものが得られる。切り口先端部を曲率半径Ｒが０．８ｍｍより小さいと、折り曲げが難しく、かつ打抜き時に刃が折れたりする問題がある。また、曲率半径Ｒが０．８ｍｍより大きくなると、切り口先端部からの引き裂き性が落ちる方向にいく。よって、曲率半径Ｒが０．８ｍｍで作成することで、一枚の刃で折り曲げが可能で、かつ打抜きによる先端部に破損部がないものが得られる。例えば、トムソン刃は、一般的に用いられている、厚さ０，７ｍｍを用い、刃先形状は、センター刃、刃先角度は３０°、４３°でも可能であり、また、刃先形状が、片切り刃、刃先角度５８°でも可能である。トムソン刃を用いて打抜き加工機によりＶ字形切り口を形成することができる。通常は、包装袋の外形の打抜き加工時に同時に打抜きしてもよく、また外形の打抜き後、別途工程で行うことも可能である。またトムソン刃を用いないで、プレス金型に抜き刃を具備した金型を使用しても可能である。
【００３６】
また、切断誘導線２３は、表裏積層シートに連続して設けたハーフカット部から形成されている。切断誘導線の深さは、基材層を貫通させシーラント層の表面までハーフカットし形成する。また、積層シートに中間層を積層した場合は、基材層と中間層を貫通させシーラント層の表面までハーフカットし形成する。切断誘導線は、Ｖ字形切り口の先端部から連接され、抽出用ノズルを横断して形成されているために、注出用ノズルを開封する際は、先端シール部と上側シール部とを摘み、切り口先端部から切断誘導線に沿って引き裂くことで注出口を形成することができる。
【００３７】
切断誘導線２３は、トムソン刃によって形成する方法や、レーザーによって形成する方法が可能であるが、レーザーによる方法が均一にハーフカットできるので好ましい。なお、切断誘導線は、１本または複数本でも可能である。レーザーの種類としては、炭酸ガスレーザーが好ましい。
【００３８】
本発明の詰替え用包装袋は、Ｖ次形切り口の先端部が、曲率半径Ｒが０．８ｍｍで形成されているために、該切り口の先端部に破損部がなく、外観がよいものが可能である。また、切り口の先端部が切断誘導線に連接されているために、注出用ノズルを手でスムースに開封することができる。
【００３９】
以下、本発明の具体的実施例について説明する。
【実施例１】
【００４０】
延伸ナイロンフィルム１５μｍの内面にグラビアインキを用いて印刷層を設けた。印刷は、グラビア印刷にて行った。
【００４１】
上記ナイロンフィルムの印刷面と、アルミニウム蒸着層を有するポリエステルフィルム１２μｍを、二液硬化型ウレタン系接着剤を介してドライラミネート法により貼り合わせた。
【００４２】
次いで、直鎖状低密度ポリエチレンフィルム（ＬＬＤＰＥ）１００μｍを、上記ポリエステルフィルム面に、二液硬化型ウレタン系接着剤を介してドライラミネート法により貼り合わせた。積層シートを作成した。積層シートの層構成は、延伸ナイロンフィルム／印刷層／接着剤／アルミニウム蒸着層を有するポリエステルフィルム／接着剤／直鎖状低密度ポリエチレンフィルムになる。
【００４３】
次いで、この積層シートを、表裏二枚の積層シートと底テープに所定の幅でスリットし、表裏二枚の積層シートの所望の位置に炭酸ガスレーザーにより、切断誘導線を３本形成した。次いで製袋機上で底テープを表裏二枚の積層シートの下部の間に挟み込んで、底部と両サイドをシールして、それぞれ底シール部、サイドシール部を形成した。次いで、天部をシールして天シール部を形成した。内容量３６０ｍｌの自立性包装袋を形成した。この際、トムソン刃を用い、打抜き加工機を用いて、左側上隅部に、図１に示すように、先端シール部と上側シール部と下側シール部で形成した注出用ノズルを形成した。また、先端シール部と上側シール部との境界に、注出用ノズルを開封するＶ字形切り口を形成し、該切り口先端部を曲率半径Ｒが０．８ｍｍに形成した。予め形成した切断誘導線は、切り口先端部と連接し、注出用ノズルを横断して形成された。
【００４４】
以下に、本発明の比較例について説明する。
【００４５】
＜比較例１＞
切り口先端部をＲ形状なし、即ち、図６に示すような従来のトムソン刃を用いた方式で形成した以外は、実施例１と同様に行い自立性包装袋を作成した。
【００４６】
＜評価方法１＞
打抜き加工時に、切り口先端部での積層シートの剥がれなどの破損部の有無を確認した。自立性包装袋をそれぞれ１００袋評価した。１００袋中、破損部がないを○とした。１００袋中、１袋でも破損部がありを×とした。
【００４７】
評価結果を表１に示す。
【００４８】
【表１】
2015147582.tif 000003
切り口先端部を、曲率半径Ｒが０．８ｍｍにすることにより、打抜き加工時に、積層シートの層間で剥がれなどの破損部がなく、外観が良好であった。しかし、切り口先端部が、Ｒ形状なしのものは、３袋に破損部が観られた。
【００４９】
＜評価方法２＞
切断誘導線の引き裂き性を引っ張り試験機により評価した。先端シール部と上側シール部をそれぞれ治具で摘み、切断誘導線に沿って引っ張り、切断誘導線が引き裂かれた時の引っ張り強度（Ｎ）を測定した。サンプル数をそれぞれ７袋で行った。
【００５０】
評価結果を表２に示す。
【００５１】
【表２】
2015147582.tif 000004
切り口先端部が、曲率半径Ｒが０．８ｍｍ、Ｒ形状がないものでも、引っ張り強度の差がなく、切断誘導線をスムースに引き裂き注出用ノズルを開封できた。注出口を形成できた。
【符号の説明】
【００５２】
１・・・詰替え用包装袋
２・・・表積層シート
３・・・裏積層シート
４・・・底テープ
５・・・底シール部
６・・・サイドシール部
７・・・開口部
８・・・注出用ノズル
９・・・先端シール部
１０・・上側シール部
１１・・下側シール部
１２・・上隅部
２０・・Ｖ字形切り口
２１・・切り口先端部
２２・・切り口
２３・・切断誘導線
２４・・ハーフカット部
３０・・積層シート
３１・・基材層
３２・・印刷層
３３・・接着層
３４・・シーラント層
３５・・アルミニウム蒸着層を有するフィルム
３６・・アルミニウム蒸着層
３７・・剥がれ部
３８・・破損部
４０・・隙間
４５・・トムソン刃
５０・・従来の詰替え用包装袋
【図１】
2015147582.tif 000005
【図２】
2015147582.tif 000006
【図３】
2015147582.tif 000007
【図４】
2015147582.tif 000008
【図５】
2015147582.tif 000009
【図６】
2015147582.tif 000010
【図７】
2015147582.tif 000011
【図８】
2015147582.tif 000012